(57)【要約】【課題】光拡散カバーに現れる輝度ムラを従来よりも低減できる照明器具を提供する。【解決手段】照明器具１は、造営材の天井８０に設置された引っ掛けシーリングボディ９１に接続される照明器具１であって、引っ掛けシーリングボディ９１に対応する位置に開口１１を有する器具本体１０と、器具本体１０に取り付けられ、開口１１を囲む基板２１及び基板２１に配置された複数の発光素子２２を有する発光モジュール２０と、複数の発光素子２２のそれぞれを覆い、複数の発光素子２２から出射された光の配光を制御する複数のレンズを有するレンズカバー３０と、透光性を有し、レンズカバー３０を覆う光拡散カバー５０と、を備える。レンズカバー３０は、光拡散カバー５０を天井８０に対して垂直な方向から見たときに光拡散カバー５０の開口１１と重なる領域である中心部５１に向けて光の配光を制御する。【選択図】図５
2018181602.tif 000002
【特許請求の範囲】
【請求項１】
造営材の設置面に設置された引っ掛けシーリングボディに接続される照明器具であって、
前記引っ掛けシーリングボディに対応する位置に開口を有する器具本体と、
前記器具本体に取り付けられ、前記開口を囲む基板及び前記基板に配置された複数の発光素子を有する発光モジュールと、
複数の前記発光素子のそれぞれを覆い、複数の前記発光素子から出射された光の配光を制御する複数のレンズを有するレンズカバーと、
透光性を有し、前記レンズカバーを覆う光拡散カバーと、を備え、
前記レンズカバーは、前記光拡散カバーを前記設置面に対して垂直な方向から見たときに前記光拡散カバーの前記開口と重なる重複領域に向けて前記光の配光を制御する
照明器具。
【請求項２】
前記複数のレンズは、前記開口に近い領域に配置された複数の第１のレンズと、前記開口に対して前記第１のレンズより遠い領域に配置された複数の第２のレンズとを有し、
前記複数のレンズのそれぞれは、配光特性として、前記発光素子の光軸と、光強度分布の光強度が最大となる方向とがなす配光ピーク角度を有し、
前記複数の第１のレンズの前記重複領域へ向かう方向における前記配光ピーク角度は、前記複数の第２のレンズの前記重複領域へ向かう方向における前記配光ピーク角度よりも小さい
請求項１に記載の照明器具。
【請求項３】
前記複数の第１のレンズ及び前記複数の第２のレンズのそれぞれは、前記配光特性として、前記光軸に対して異なる方向にそれぞれ前記配光ピーク角度を有する
請求項２に記載の照明器具。
【請求項４】
前記複数の第１のレンズのそれぞれは、前記配光特性として、前記重複領域に向かう方向のみに配光ピーク角度を有し、
前記複数の第２のレンズのそれぞれは、前記配光特性として、前記光軸に対して異なる方向にそれぞれ前記配光ピーク角度を有する
請求項２に記載の照明器具。
【請求項５】
前記第１のレンズ及び前記第２のレンズのそれぞれは、前記開口に近づくにつれ前記重複領域へ向かう方向における前記配光ピーク角度が次第に小さくなる
請求項２〜４のいずれか１項に記載の照明器具。
【請求項６】
前記基板の形状は、前記開口を囲む環状であり、
複数の前記発光素子は、前記開口を囲む複数の前記環状に配置されており、
複数の前記環状のうちの最内周に配置された前記発光素子は、所定の間隔で配置されており、
複数の前記環状のうちの前記最内周以外に配置された前記発光素子は、前記所定の間隔の２倍以上の間隔で配置される
請求項１〜５のいずれか１項に記載の照明器具。
【請求項７】
前記複数のレンズのそれぞれは、シボを有する
請求項１〜６のいずれか１項に記載の照明器具。
【発明の詳細な説明】
【技術分野】
【０００１】
本発明は、空間を照明するための照明器具に関する。
【背景技術】
【０００２】
空間を照明するための照明器具の一つとして、シーリングライトが知られている。シーリングライトは、器具本体の中央部に給電部（器具取付部材）などが取り付けられており、複数のＬＥＤ（Ｌｉｇｈｔ  Ｅｍｉｔｔｉｎｇ  Ｄｉｏｄｅ）は給電部の周りに配置される。例えば、複数のＬＥＤは、円環状に配置される。また、複数のＬＥＤの前方にはＬＥＤから放射された光を拡散して出射する光拡散部材（光拡散カバー）が配置される。
【０００３】
特許文献１では、複数のＬＥＤを覆い複数のＬＥＤから放射される光の配光を制御する複数のレンズ部を備える照明器具が開示されている。レンズ部は、レンズ部から出射される光のうち光強度が最も強い主ビームの出射角度が複数のレンズ部で同じ角度に設定されている。これにより、給電部が取り付けられることによる光拡散部材の輝度ムラを低減している。
【先行技術文献】
【特許文献】
【０００４】
【特許文献１】特開２０１３−０６２２３８号公報
【発明の概要】
【発明が解決しようとする課題】
【０００５】
しかしながら、上記特許文献１に記載の照明器具では、レンズ部それぞれの主ビームの出射角度が同じ角度に設定されているので輝度ムラの低減効果は限定的である。
【０００６】
そこで、本発明は、このような課題に鑑みてなされたものであり、光拡散カバーに現れる輝度ムラを従来よりも低減できる照明器具を提供することを目的とする。
【課題を解決するための手段】
【０００７】
上記目的を達成するために、本発明の一態様に係る照明器具は、造営材の設置面に設置された引っ掛けシーリングボディに接続される照明器具であって、前記引っ掛けシーリングボディに対応する位置に開口を有する器具本体と、前記器具本体に取り付けられ、前記開口を囲む基板及び前記基板に配置された複数の発光素子を有する発光モジュールと、複数の前記発光素子のそれぞれを覆い、複数の前記発光素子から出射された光の配光を制御する複数のレンズを有するレンズカバーと、透光性を有し、前記レンズカバーを覆う光拡散カバーと、を備え、前記レンズカバーは、前記光拡散カバーを前記設置面に対して垂直な方向から見たときに前記光拡散カバーの前記開口と重なる重複領域に向けて前記光の配光を制御する。
【発明の効果】
【０００８】
本発明の一態様に係る照明器具によれば、光拡散カバーに現れる輝度ムラを従来よりも低減できる。
【図面の簡単な説明】
【０００９】
【図１】実施の形態１に係る照明器具の天井側の外観を示す斜視図である。
【図２】実施の形態１に係る照明器具の床面側の外観を示す斜視図である。
【図３】実施の形態１に係る照明器具を分解して示す分解斜視図である。
【図４】実施の形態１に係る照明器具の光拡散カバーを省略した状態を示す平面図である。
【図５】図１のＶａ−Ｖａ線における実施の形態１に係る照明器具の断面図である。
【図６】実施の形態１に係るレンズの配光特性を示す図である。
【図７Ａ】実施の形態１に係る照明器具の点灯時における明るさを示す図である。
【図７Ｂ】図７ＡのＶＩＩｂ−ＶＩＩｂ線における実施の形態１に係る照明器具の照度分布を示す図である。
【図８】実施の形態１の変形例に係る照明器具の光拡散カバー及びレンズカバーを省略した状態を示す平面図である。
【図９】実施の形態１の変形例に係る照明器具の点灯時における明るさを示す図である。
【図１０】実施の形態２に係る照明器具の天井側の外観を示す斜視図である。
【図１１】実施の形態２に係る照明器具の床面側の外観を示す斜視図である。
【図１２】実施の形態２に係る照明器具を分解して示す分解斜視図である。
【図１３】実施の形態２に係る照明器具の光拡散カバーを省略した状態を示す平面図である。
【図１４】図１０のＸＩＶ−ＸＩＶ線における実施の形態２に係る照明器具の断面図である。
【図１５】実施の形態２に係るレンズの配光特性を示す図である。
【図１６Ａ】実施の形態２に係る照明器具の点灯時における明るさのイメージ図である。
【図１６Ｂ】図１６ＡのＸＶＩｂ−ＸＶＩｂ線における実施の形態２に係る照明器具の照度分布を示す図である。
【発明を実施するための形態】
【００１０】
以下では、本発明の実施の形態について、図面を用いて詳細に説明する。以下に説明する実施の形態は、いずれも本発明の一具体例を示すものである。したがって、以下の実施の形態で示される数値、形状、材料、構成要素、構成要素の配置、及び、接続形態などは、一例であり、本発明を限定する主旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略又は簡略化される場合がある。
【００１２】
また、「略＊＊」との記載は実質的に＊＊と認められるものを含む意図であり、例えば「略円形状」を例に挙げて説明すると、完全な円形状はもとより、実質的に円形状と認められるものを含む意図である。
【００１３】
また、以下の実施の形態で説明に用いられる図面においては座標軸が示される場合がある。Ｚ軸のマイナス側が床面側、Ｚ軸のプラス側が天井側を表している。また、Ｘ軸方向及びＹ軸方向は、Ｚ軸方向に垂直な平面上において、互いに直交する方向である。Ｘ−Ｙ平面は、照明器具が備える器具本体に平行な平面である。なお、説明の都合上、図２〜図４、図８及び図１１〜１３では、照明器具を通常の使用時の姿勢とは上下逆の姿勢で図示している。
【００１４】
（実施の形態１）
以下、本実施の形態に係る照明器具について説明する。
【００１５】
［１−１．照明器具の構成］
本実施の形態に係る照明器具１の構成について、図１〜図７Ｂを参照しながら説明する。
【００１６】
［１−１−１．照明器具の全体構成］
まず、本実施の形態に係る照明器具１の全体構成について、図１〜図３を参照しながら説明する。
【００１７】
図１は、本実施の形態に係る照明器具１の天井側の外観を示す斜視図である。図２は、本実施の形態に係る照明器具１の床面側の外観を示す斜視図である。図３は、本実施の形態に係る照明器具１を分解して示す分解斜視図である。
【００１８】
照明器具１は、例えば住宅等の建物の天井に設置され、建物の内部の空間を照明するためのシーリングライトである。図１〜図３に示すように、照明器具１は、器具本体１０、発光モジュール２０、レンズカバー３０、側方カバー４０、光拡散カバー５０、枠体６０、及び、クッション部材７０を備える。なお、天井は、照明器具１が取り付けられる造営材の設置面の一例である。
【００１９】
以下、照明器具１の各構成要素について、図１〜図３を参照しながら、図４〜図７Ｂを用いて詳細に説明する。
【００２０】
［１−１−２．器具本体］
器具本体１０について、図１及び図３を参照しながら説明する。
【００２１】
器具本体１０は、発光モジュール２０、側方カバー４０及びクッション部材７０を支持するための筐体である。器具本体１０は、中央部に略円形状の開口１１を有するリング状に形成されている。器具本体１０は、例えばアルミニウム板又は鋼板等の板金をプレス加工することによって形成される。
【００２２】
開口１１の周縁部には、器具本体１０を器具取付部材（図５の（ａ）の器具取付部材９０を参照）に装着するためのホルダ１２が固定されている。ホルダ１２の内部には、器具取付部材が着脱自在に嵌合される。なお、器具取付部材とは、天井に設置された引っ掛けシーリングボディ（図５の（ａ）の引っ掛けシーリングボディ９１を参照）に器具本体１０を着脱自在に取り付けるためのアダプタである。言い換えると、開口１１は、引っ掛けシーリングボディに対応する位置に形成され、アダプタを配置するための孔である。
【００２３】
また、引っ掛けシーリングボディは、商用電源（図示しない）と電線（図示しない）を介して電気的に接続されている。照明器具１がアダプタを介して引っ掛けシーリングボディに取り付けられることで、アダプタを介して照明器具１が備える電源回路（図示しない）に電力が供給される。電源回路は、発光モジュール２０を発光させるための電力を生成する回路であり、アダプタを介して供給された交流電力を直流電力に変換する。当該直流電力が発光モジュール２０に供給されることにより、発光モジュール２０（具体的には、発光素子２２）が発光する。つまり、アダプタは、照明器具１と引っ掛けシーリングボディとを、機械的及び電気的に接続する。
【００２４】
なお、器具本体１０は、発光モジュール２０からの熱を放熱するためのヒートシンクとしても機能する。
【００２５】
さらに、図１に示すように、器具本体１０の天井側の面には、例えば、ウレタン等で形成されたクッション部材７０が複数取り付けられている。複数のクッション部材７０は、器具本体１０の周方向に沿って配置されている。照明器具１が天井に設置された際に、複数のクッション部材７０が器具本体１０と天井との間に挟み込まれることにより、器具本体１０のぐらつき又は回転が抑制される。
【００２６】
［１−１−３．発光モジュール］
次に、発光モジュール２０について、図３を参照しながら説明する。
【００２７】
発光モジュール２０は、例えば白色光を発するための光源である。白色光とは、例えば、色温度（相関色温度）が２６００Ｋ〜７１００Ｋの光である。発光モジュール２０は、複数の基板２１と、複数の基板２１の各々に実装された複数の発光素子２２とを有している。発光モジュール２０は、部屋全体を明るくする、室内照明用途の光源である。
【００２８】
基板２１は、複数の発光素子２２を実装するためのプリント配線基板であり、略円環状に形成されている。複数の基板２１の各々は、器具本体１０の開口１１を囲むようにして、器具本体１０の床面側の面にネジ（図示しない）により取り付けられている。なお、本実施の形態では、発光モジュール２０は４つの基板２１から構成されている例について説明しているが、基板２１の数はこれに限定されない。また、基板２１は略円環状に形成されることに限定されない。基板２１は、開口１１を囲む環状であればよい。
【００２９】
基板２１としては、例えば、樹脂をベースとする樹脂基板、金属をベースとするメタルベース基板、セラミックからなるセラミック基板等を用いることができる。また、基板２１は、リジッド基板に限定されず、フレキシブル基板であってもよい。
【００３０】
複数の発光素子２２は、基板２１の周方向に配置されている。本実施の形態では、複数の発光素子２２は、基板２１の周方向に６列配置されている。各列において、複数の発光素子２２は、基板２１の周方向に間隔を置いて配置されている。これにより、発光モジュール２０全体としては、複数の発光素子２２は略円環状に配置されるようになる。なお、基板２１が環状である場合、複数の発光素子２２は環状に配置される。
【００３１】
発光素子２２の各々は、パッケージ化された表面実装（ＳＭＤ：Ｓｕｒｆａｃｅ  Ｍｏｕｎｔ  Ｄｅｖｉｃｅ）型の白色ＬＥＤ素子である。
【００３２】
なお、照明器具１の光源は、特に限定されるものではない。例えば、発光モジュール２０の代わりに、半導体レーザ等の半導体発光素子、有機ＥＬ素子（ＯＬＥＤ）、無機ＥＬ素子、又は、その他の固体発光素子を用いて構成された発光モジュールが用いられてもよい。また、発光モジュール２０の代わりに、蛍光管が用いられてもよい。また、発光モジュール２０は白色光を発光する例について説明したが、発光色は特に限定されない。
【００３３】
［１−１−４．レンズカバー］
次に、レンズカバー３０について、図３〜図６を参照しながら説明する。
【００３４】
図３に示すように、レンズカバー３０は、発光素子２２の各々からの光の配光を制御するための光学部材である。レンズカバー３０は、リング状に形成されている。また、レンズカバー３０は、透光性を有する材料（例えば、アクリル（ＰＭＭＡ）、ポリカーボネート（ＰＣ）などの透明な樹脂等）で形成されている。レンズカバー３０は、複数の基板２１の各々を覆うようにして、器具本体１０の床面側の面にネジ３４（図４参照）により取り付けられる。
【００３５】
図４は、本実施の形態に係る照明器具１の光拡散カバー５０を省略した状態を示す平面図である。
【００３６】
図４に示すように、レンズカバー３０は、レンズカバー３０における開口１１側の内側領域（レンズカバー３０のうちの仮想線ＶＬ１より内側の領域）である第１のレンズカバー３１と、第１のレンズカバー３１より外周側の外側領域（レンズカバー３０のうちの仮想線ＶＬ２より外周側の領域）である第３のレンズカバー３３と、第１のレンズカバー３１と第３のレンズカバー３３との間の領域（レンズカバー３０のうちの仮想線ＶＬ１及びＶＬ２で囲まれる領域）である第２のレンズカバー３２とを有する。つまり、第１のレンズカバー３１は、複数の発光素子２２のうちの基板２１の内周側（開口１１側）に配置された発光素子２２を覆う。また、第３のレンズカバー３３は、複数の発光素子２２のうちの基板２１の外周側に配置された発光素子２２を覆う。また、第２のレンズカバー３２は、複数の発光素子２２のうちの基板２１の内周側と外周側との中間領域に配置された発光素子２２を覆う。
【００３７】
さらに、第１のレンズカバー３１には複数のレンズ３１ａが形成されており、第２のレンズカバー３２には複数のレンズ３２ａが形成されており、第３のレンズカバー３３には複数のレンズ３３ａが形成されている。複数のレンズ３１ａ、３２ａ及び３３ａは、複数の発光素子２２の各々に対応するように設けられている。つまり、複数のレンズ３１ａ、３２ａ又は３３ａは、複数の発光素子２２のそれぞれを覆う。複数の発光素子２２の各々から発せられた光は、各々に対応するレンズ３１ａ、３２ａ又は３３ａを透過することで、配光制御される。なお、詳細は後述するが、本実施の形態に係るレンズカバー３０は、レンズ３１ａ〜３３ａのそれぞれで配光特性（例えば、配光曲線）が異なる点に特徴を有する。レンズ３２ａはレンズ３１ａに比べ広配光の配光特性を有する。また、レンズ３３ａはレンズ３２ａに比べ広配光の配光特性を有する。
【００３８】
複数のレンズ３１ａは、開口１１を囲むように第１のレンズカバー３１の周方向に沿って配置されている。本実施の形態では、複数のレンズ３１ａは、第１のレンズカバー３１の周方向に沿って２列配置されている。各列において、複数のレンズ３１ａは、第１のレンズカバー３１の周方向に所定の間隔を置いて配置されている。具体的には、複数のレンズ３１ａは、複数の発光素子２２と一対一で対応するように、複数の発光素子２２に対応する第１のレンズカバー３１の位置に配置されている。これにより、第１のレンズカバー３１において、複数の発光素子２２に対応するように、複数のレンズ３１ａはリング状に形成される。
【００３９】
複数のレンズ３２ａは、第１のレンズカバー３１を囲むように第２のレンズカバー３２の周方向に沿って配置されている。本実施の形態では、複数のレンズ３２ａは、第２のレンズカバー３２の周方向に沿って２列配置されている。各列において、複数のレンズ３２ａは、第２のレンズカバー３２の周方向に所定の間隔を置いて配置されている。具体的には、複数のレンズ３２ａは、複数の発光素子２２と一対一で対応するように、複数の発光素子２２に対応する第２のレンズカバー３２の位置に配置されている。これにより、第２のレンズカバー３２において、複数の発光素子２２に対応するように、複数のレンズ３２ａはリング状に形成される。
【００４０】
複数のレンズ３３ａは、第２のレンズカバー３２を囲むように第３のレンズカバー３３の周方向に沿って配置されている。本実施の形態では、複数のレンズ３３ａは、第３のレンズカバー３３の周方向に沿って２列配置されている。各列において、複数のレンズ３３ａは、第３のレンズカバー３３の周方向に所定の間隔を置いて配置されている。具体的には、複数のレンズ３３ａは、複数の発光素子２２と一対一で対応するように、複数の発光素子２２に対応する第３のレンズカバー３３の位置に配置されている。これにより、第３のレンズカバー３３において、複数の発光素子２２に対応するように、複数のレンズ３３ａはリング状に形成される。
【００４１】
本実施の形態では、複数のレンズ３１ａ〜３３ａは、それぞれ２列ずつ形成されている。複数のレンズ３１ａ〜３３ａは、例えば、略同心円状に形成されている。例えば、複数のレンズ３１ａ〜３３ａは、開口１１の中心を基準に略同心円状に形成されている。なお、レンズカバー３０に形成されるレンズ３１ａ〜３３ａの列数は、上記に限定されない。レンズ３１ａ〜３３ａは、それぞれ異なる列数形成されてもよい。例えば、開口１１に近いレンズ３１ａの列数が多く形成されてもよい。
【００４２】
続いて、レンズカバー３０の断面形状について、図５を参照しながら説明する。
【００４３】
図５は、図１のＶａ−Ｖａ線における本実施の形態に係る照明器具１の断面図である。具体的には、図５の（ａ）は、図１のＶａ−Ｖａ線における本実施の形態に係る照明器具１の断面図であり、図５の（ｂ）は、図５の（ａ）の破線領域の拡大断面図である。図５の（ａ）では、器具取付部材９０及び引っ掛けシーリングボディ９１を模式的に破線で示している。また、断面図とは、Ｘ軸とＺ軸とで規定される平面で切断された照明器具１の断面のみを示しており、以降においても同様である。
【００４４】
図５の（ａ）に示すように、レンズカバー３０は、断面視において、凹凸形状を有する。また、図５の（ｂ）に示すように、レンズカバー３０は、基板２１の床面側の面に配置される。断面視において、第１のレンズカバー３１には、Ｘ軸方向に２列でリング状に並ぶレンズ３１ａが形成されており、第２のレンズカバー３２には、Ｘ軸方向に２列でリング状に並ぶレンズ３２ａが形成されており、第３のレンズカバー３３には、Ｘ軸方向に２列でリング状に並ぶレンズ３３ａが形成されている。また、断面視において発光素子２２はＸ軸方向に６列でリング状に並んで配置されており、発光素子２２の各々は、レンズ３１ａ、３２ａ又は３３ａで覆われている。つまり、レンズ３１ａ、３２ａ及び３３ａは、発光素子２２の各々に一対一で形成されている個別レンズである。これにより、複数の発光素子２２の各々からの光に対して、所望の配光制御を行うことができる。
【００４５】
図５の（ｂ）に示すように、レンズ３１ａ〜３３ａは、断面視において形状が異なる。より詳しくは、レンズカバー３０の天井８０側の面には、発光素子２２からの光の配光を制御するために、床面側に向けて凹みが形成されているが、その凹みの形状がレンズ３１ａ〜３３ａで異なる。
【００４６】
レンズ３１ａに形成されている凹みは、断面視において、レンズ３２ａに形成されている凹みより浅い。レンズ３１ａに形成されている凹みは、断面視において、略台形状である。また、レンズ３２ａに形成されている凹みは、断面視において、レンズ３３ａに形成されている凹みより浅い。レンズ３２ａ及び３３ａに形成されている凹みは、断面視において、略三角形状である。これにより、発光素子２２からレンズカバー３０に入射した光の配光のされ方が異なる。
【００４７】
なお、上記で説明したレンズ３１ａ〜３３ａの断面視における形状は一例であり、上記に限定されない。
【００４８】
なお、図５の（ｂ）において、一点鎖線は発光素子２２の光軸Ｊを示している。光軸Ｊは、Ｚ軸に平行な軸である。また、発光素子２２の光軸Ｊと当該発光素子２２を備える照明器具１の光軸とは、平行の関係にある。
【００４９】
続いて、上記で説明したレンズ３１ａ〜３３ａの配光特性について、図６を参照しながら説明する。
【００５０】
図６は、本実施の形態に係るレンズ３１ａ〜３３ａの配光特性を示す図である。より詳しくは、図６の（ａ）は、レンズ３１ａ単体での光強度分布の一例を示す図であり、図６の（ｂ）は、レンズ３２ａ単体での光強度分布の一例を示す図であり、図６の（ｃ）は、レンズ３３ａ単体での光強度分布の一例を示す図である。つまり、図６は、照明器具１の配光特性ではなく、レンズのみでの配光特性を示している。また、図６では、円の中心から円の外周へ向かうほど光強度が高いことを示している。また、図６では、光軸Ｊと平行な方向（以降、光軸方向とも記載する）を基準（０°）とし、光軸Ｊと直交する方向を９０°及び−９０°として図示している。図６において、０°は照明器具１の直下方向（光軸方向）を示している。
【００５１】
なお、レンズの配光ピーク角度とは、発光素子２２の光軸方向と、レンズの光強度分布の光強度が最大となる方向（図中の二点鎖線Ｄの方向）とがなす角度であり、光軸方向を基準とした角度である。つまり、レンズの配光ピーク角度が大きいほど、当該レンズを透過した光は、光軸Ｊに対して直交する方向と近い方向に、より多く出射される。本実施の形態に係る照明器具１は、設置面の一例である天井８０に対して照明器具１の器具本体１０が略平行に設置される。そのため、レンズの配光ピーク角度が大きいほど、当該レンズを透過した光は、天井８０（天井面）に対して水平に近い方向により多く出射される。
【００５２】
図６の（ａ）〜（ｃ）に示すように、レンズ３１ａ〜３３ａはそれぞれ、配光ピーク角度を２つ有するレンズである。具体的には、光軸Ｊに対して互いに反対側に２つの配光ピーク角度を有する。つまり、レンズ３１ａ〜３３ａはそれぞれ、いわゆるバットウィング状の配光特性を有するレンズである。言い換えると、レンズカバー３０は、バットウィング状の配光特性のレンズ３１ａ〜３３ａを有し、発光素子２２から出射された光の配光角を広げる配光制御を行う。
【００５３】
さらに、レンズ３１ａ〜３３ａはそれぞれ、配光ピーク角度が異なる。図６の（ａ）〜（ｃ）に示すように、レンズ３１ａの配光ピーク角度は、一例として６３°であり、レンズ３２ａの配光ピーク角度は、一例として６５°であり、レンズ３３ａの配光ピーク角度は、一例として６７°である。レンズ３１ａ〜３３ａの配光ピーク角度はこれに限定さないが、配光ピーク角度の大小関係は、維持される。
【００５４】
なお、レンズ３１ａ〜３３ａの配光ピーク角度は、例えば、発光モジュール２０の配置位置及び光拡散カバー５０の高さによって決定される。発光モジュール２０は円環状に形成されている。発光モジュール２０の中心と開口１１の中心とは、発光モジュール２０を天井８０に対して垂直な方向から見たときに略一致する。発光モジュール２０の配置位置とは、発光モジュール２０の中心に対する発光素子２２の位置であり、発光素子２２のそれぞれと、発光モジュール２０の中心との距離（例えば、図５の（ａ）におけるＸ軸方向の距離）である。また、光拡散カバー５０の高さとは、中心部５１（例えば、中心部５１の中心）と発光モジュール２０の中心との距離（例えば、図５の（ａ）におけるＺ軸方向の距離）である。
【００５５】
例えば、レンズ３１ａ（第１のレンズの一例）の配光ピーク角度は、レンズ３２ａ（第２のレンズの一例）の配光ピーク角度より小さい。また、例えば、レンズ３２ａ（第１のレンズの一例）の配光ピーク角度は、レンズ３３ａ（第２のレンズの一例）の配光ピーク角度より小さい。なお、各レンズにおける配光ピーク角度の大小関係において、配光ピーク角度とは、中心部５１（詳細は後述するが、光拡散カバー５０を天井８０に対して垂直な方向から見たときに開口１１と重なる領域）へ向かう方向における配光ピーク角度を意味する。つまり、レンズカバー３０のうち開口１１に近い領域に配置されているレンズの中心部５１へ向かう方向における配光ピーク角度は、開口１１に遠い領域に配置されているレンズの中心部５１へ向かう方向における配光ピーク角度より小さい。これにより、レンズカバー３０から出射した光が、中心部５１に入射しやすくなる。つまり、レンズカバー３０は、光拡散カバー５０の中心部５１に向けて発光素子２２からの光の配光を制御する。レンズ３１ａ〜３３ａの配光ピーク角度は、発光素子２２から入射した光を中心部５１に向けて出射できる角度であればよい。また、レンズ３１ａ〜３３ａの断面視における形状は、発光素子２２から入射した光を中心部５１に向けて出射できる形状であれば特に限定されない。
【００５６】
例えば、図５の（ａ）に示すように、レンズ３１ａから出射された光Ｌ１、レンズ３２ａから出射された光Ｌ２及びレンズ３３ａから出射された光Ｌ３は、それぞれ異なる出射角度で中心部５１に向けて出射される。レンズカバーが配光特性の等しいレンズのみで構成されている場合、当該レンズと開口との位置に応じて、一部のレンズから出射された光が光拡散カバーの中心部に入射しないことがある。
【００５７】
一方、本実施の形態に係る照明器具１は、レンズと開口との位置に応じてレンズの配光特性を変更しているので、中心部５１に向けて光を出射することができる。つまり、レンズカバーが配光特性の等しいレンズのみで構成されている場合に比べ、照明器具１は中心部５１に入射する光の光量を増やすことができる。例えば、レンズ３１ａ〜３３ａの全ての配光ピーク角度を中心部５１に向かう方向とすることで、レンズ３１ａ〜３３ａの全てのレンズにおいて中心部５１に向けて光を出射することができる。
【００５８】
なお、図５の（ａ）では、中心部５１に向かう光のみを図示しているが、レンズ３１ａ〜３３ａからは側方カバー４０に向けての光も出射されている。
【００５９】
なお、図４〜図６では、２列ずつ配光特性が同じレンズが配置されている例について説明したが、これに限定されない。開口１１に向かうにつれ配光ピーク角度が小さくなるようにレンズが配置されていてもよい。例えば、レンズ３１ａ（第１のレンズの一例）及びレンズ３２ａ（第２のレンズの一例）のそれぞれは、開口１１に近づくにつれ中心部５１へ向かう方向における配光ピーク角度が次第に小さくなってもよい。また、例えば、レンズ３２ａ（第１のレンズの一例）及びレンズ３３ａ（第２のレンズの一例）のそれぞれは、開口１１に近づくにつれ中心部５１へ向かう方向における配光ピーク角度が次第に小さくなってもよい。つまり、列ごとに配光ピーク角度が異なっていてもよい。これにより、列ごとに適切な配光ピーク角度を設定することができるので、中心部５１の中心（例えば、照明器具１を平面視した場合の照明器具１の中心）に向けて光を出射することができる。
【００６０】
なお、レンズ３１ａ、３２ａ及び３３ａの表面にシボ加工などにより、微細な凹凸（シボ）が形成されていてもよい。
【００６１】
［１−１−５．側方カバー］
次に、側方カバー４０について、図３を参照しながら説明する。側方カバー４０は、発光モジュール２０を囲む枠状の部材であり、発光モジュール２０から側方カバー４０に入射した光を有効に活用するための光学部材である。言い換えると、側方カバー４０は、発光モジュール２０を側方から覆うように配置されている。
【００６２】
側方カバー４０は、天井側の端部から床面側の端部に向けて外方に傾斜している。例えば、側方カバー４０は、設置面である天井から遠ざかるにつれ、テーパ状に広がっている。側方カバー４０は、器具本体１０と光拡散カバー５０との間に配置されており、器具本体１０に側方カバー４０の一端部が固定されることで、器具本体１０に側方カバー４０が取り付けられる。また、側方カバー４０の他端部には、枠体６０を介して光拡散カバー５０が取り付けられる。
【００６３】
側方カバー４０は、例えば、透光性を有する材料で形成されている。例えば、側方カバー４０は、透光性を有するアクリル樹脂で形成されている。これにより、発光モジュール２０から側方カバー４０に入射した光は、側方カバー４０を透過して外部に出射される。側方カバー４０から出射された光により、主に天井面又は壁面が照らされる。これにより、照明器具１が照明する空間をより明るくすることができる。
【００６４】
また、側方カバー４０には、例えば、光拡散材が内部に分散された乳白色の拡散パネルを用いることができる。これにより、発光モジュール２０から側方カバーに入射した光は、側方カバー４０を透過することで散乱されるので、側方カバー４０から出射された光は、略均一の明るさで天井面又は壁面を照らすことができる。
【００６５】
なお、側方カバー４０が透光性を有している例について説明したが、これに限定されない。側方カバー４０は、透光性を有しておらず、反射性（光反射性）を有していてもよい。例えば、側方カバー４０は、アルミニウム板又は鋼板等の板金をプレス加工することによって形成されてもよい。さらに、側方カバー４０の内周面に反射性を高めて光取り出し効率を向上させるために、白色塗料が塗布、又は、反射性金属材料が蒸着されていてもよい。これにより、側方カバー４０の内周面に入射した光は光拡散カバー５０に向けて反射されるので、照明器具１の光拡散カバー５０から出射する光の光量を増やすことができる。
【００６６】
［１−１−６．光拡散カバー］
次に、光拡散カバー５０について、図２、図３及び図５の（ａ）を参照しながら説明する。
【００６７】
光拡散カバー５０は、レンズカバー３０を覆い、レンズカバー３０から入射した光を床面側に向けて拡散して出射する光学部材である。
【００６８】
図５の（ａ）に示すように、光拡散カバー５０は、光拡散カバー５０を天井８０に対して垂直な方向から見たときに開口１１と重なる領域である中心部５１（図中の二点鎖線で挟まれる領域）を有する。つまり、中心部５１の直上には発光素子２２が配置されていない。そのため、従来であれば、発光素子から中心部へ入射する光量が少なく、床面側から光拡散カバーを見ると、中心部が暗く見えていた。一方、本実施の形態では、上記で説明したように、レンズカバー３０が有する複数のレンズの配光特性を開口１１に対するレンズの位置に応じて変更している。これにより、複数のレンズのそれぞれから出射された光は中心部５１に入射するので、中心部５１へ入射する光量を従来よりも増やすことができる。本実施の形態では、光拡散カバー５０を天井８０に対して垂直な方向から見たときの中心部５１の形状は略円形状である。なお、中心部５１は、重複領域の一例である。
【００６９】
光拡散カバー５０は、透光性を有する材料（例えば、透光性を有するアクリル樹脂）で形成されている。例えば、光拡散カバー５０は、光拡散材が内部に分散された乳白色の拡散パネルを用いることができる。これにより、レンズカバー３０から光拡散カバー５０に入射した光は、光拡散カバー５０を透過することで散乱される。これにより、床面から光拡散カバー５０を見たときの光拡散カバー５０に現れる輝度ムラを低減できる。
【００７０】
図５の（ａ）に示すように、光拡散カバー５０は、側方カバー４０の床面側の端部及び枠体６０により側方カバー４０に固定される。側方カバー４０の床面側の端部に枠体６０がネジ６１により取り付けられている。光拡散カバー５０の外周部が側方カバー４０の床面側の端部と枠体６０とに挟まれることで、光拡散カバー５０は側方カバー４０に固定される。
【００７１】
なお、光拡散カバー５０の表面にシボ加工などにより、微細な凹凸（シボ）が形成されていてもよい。
【００７２】
［１−１−７．枠体］
次に、枠体６０について、図１〜図３、及び図５の（ａ）を参照しながら説明する。枠体６０は、光拡散カバー５０を側方カバー４０に固定するための部材である。
【００７３】
図５の（ａ）に示すように、枠体６０の断面視形状は、略Ｌ字状である。枠体６０の天井８０側の面には、天井８０側に突出したネジ穴（図示しない）が形成されている。側方カバー４０及び光拡散カバー５０には、枠体６０のネジ穴に対応した貫通孔（例えば、切欠き状の開口）が形成されている。当該貫通孔に枠体６０のネジ穴を挿入しネジがネジ穴にねじ込まれることにより、光拡散カバー５０は側方カバー４０に固定される。これにより、衝撃などで光拡散カバー５０が周方向に回転することを抑制できる。
【００７４】
枠体６０に形成されるネジ穴は、枠体６０の天井８０側の面から天井８０側に突出して形成されているので、図２に示すように床面側から照明器具１を見てもネジを視認することはできない。言い換えると、枠体６０を用いることで、照明器具１の美観を損ねることなく、光拡散カバー５０を側方カバー４０に固定することができる。
【００７５】
［１−２．均斉度］
続いて、本実施の形態に係るレンズカバー３０を備える照明器具１の均斉度について、図７Ａ及び図７Ｂを参照しながら説明する。なお、均斉度とは、発光面５２（本実施の形態では、光拡散カバー５０の床面側の面）の最大照度に対する発光面５２の中心（言い換えると、照明器具１の中心）の照度の比で算出している。
【００７６】
図７Ａは、本実施の形態に係る照明器具１の点灯時の明るさを示す図である。図７Ｂは、図７ＡのＶＩＩｂ−ＶＩＩｂ線における本実施の形態に係る照明器具１の照度分布を示す図である。図７Ａ及び図７Ｂでは、レンズカバーが全て配光特性の等しいレンズ（具体的には、レンズ３１ａ）で構成されている場合を比較例として図示している。また、図７Ａ及び図７Ｂでは、光拡散カバー５０の表面にシボが形成されている場合の結果を示している。また、図７Ａは、照明器具１を床面側から見た（言い換えると、発光面５２を見た）場合の明るさを示している。また、図７Ｂの位置０ｍｍは、照明器具１の中心（中心部５１の中心）を意味している。
【００７７】
図７Ａの（ａ）は比較例に係る照明器具の明るさを示す図であり、図７Ａの（ｂ）は本実施の形態に係る照明器具１の明るさを示す図である。また、白い部分は、明るさが明るいことを示している。
【００７８】
図７Ａの（ａ）及び図７Ａの（ｂ）に示すように、照明器具１は比較例の照明器具に比べ中心部付近の明るさが明るくなっていることがわかる。また、比較例の照明器具の均斉度は０．６０であるのに対し、照明器具１の均斉度は０．７３と大幅に向上している。
【００７９】
図７Ｂに示すように、中心部５１付近（位置０ｍｍ周辺）の照度は、比較例の照明器具より照明器具１の方が高く、かつ発光素子直下付近（位置±１２０ｍｍ周辺）の照度は、比較例の照明器具より照明器具１の方が低くなっている。つまり、照明器具１の均斉度は、発光面５２の最大照度が低下し、かつ照明器具１の中心の照度が上昇したことにより向上している。
【００８０】
［１−３．効果］
次に、本実施の形態に係る照明器具１の効果について説明する。
【００８１】
本実施の形態に係る照明器具１は、造営材の天井８０（設置面の一例）に設置された引っ掛けシーリングボディ９１に接続される照明器具１であって、引っ掛けシーリングボディ９１に対応する位置に開口１１を有する器具本体１０と、器具本体１０に取り付けられ、開口１１を囲む基板２１及び基板２１に配置された複数の発光素子２２を有する発光モジュール２０と、複数の発光素子２２のそれぞれを覆い、複数の発光素子２２から出射された光の配光を制御する複数のレンズ（例えば、レンズ３１ａ〜３３ａ）を有するレンズカバー３０と、透光性を有し、レンズカバー３０を覆う光拡散カバー５０と、を備える。レンズカバー３０は、光拡散カバー５０を天井８０に対して垂直な方向から見たときに光拡散カバー５０の開口１１と重なる領域である中心部５１（重複領域の一例）に向けて複数の発光素子２２からの光の配光を制御する。
【００８２】
これにより、レンズカバー３０は発光素子２２からの光を中心部５１に向けて出射するので、中心部５１に入射する光の光量を増やすことができる。つまり、床面から照明器具１を見たときに、中心部５１が暗く見えることを抑制することができる。なお、レンズカバーから出射される光の方向が一定である場合（レンズの配光特性が等しい場合）、開口に対するレンズの位置によっては発光素子からの光を中心部に向けて出射できない場合がある。この場合、床面から照明器具を見ると、中心部が暗く見える。
【００８３】
よって、本実施の形態に係る照明器具１は、光拡散カバー５０に現れる輝度ムラを従来よりも低減することができる。
【００８４】
また、複数のレンズは、開口１１に近い領域に配置された複数のレンズ３１ａ（第１のレンズの一例）と、開口１１に対してレンズ３１ａより遠い領域に配置された複数のレンズ３２ａ（第２のレンズの一例）とを有し、複数のレンズのそれぞれは、配光特性として、発光素子２２の光軸Ｊと、光強度分布の光強度が最大となる方向とがなす配光ピーク角度を有し、複数のレンズ３１ａの中心部５１（重複領域の一例）へ向かう方向における配光ピーク角度は、複数のレンズ３２ａの中心部５１へ向かう方向における配光ピーク角度よりも小さい。
【００８５】
これにより、開口１１に近い領域に配置されているレンズ（例えば、レンズ３１ａ）及び開口１１に遠い領域に配置されているレンズ（例えば、レンズ３２ａ）とも光拡散カバー５０の中心部５１に向けて光を出射することができるので、光拡散カバー５０に現れる輝度ムラをより低減することができる。
【００８６】
また、複数のレンズ３１ａ（第１のレンズの一例）及び複数のレンズ３２ａ（第２のレンズの一例）のそれぞれは、配光特性として、光軸Ｊに対して異なる方向にそれぞれ配光ピーク角度を有する。
【００８７】
これにより、バットウィング状の配光特性を有するレンズ（例えば、レンズ３１ａ〜３３ａ）を用いている場合であっても、光拡散カバー５０に現れる輝度ムラを低減することができる。
【００８８】
また、レンズ３１ａ（第１のレンズの一例）及びレンズ３２ａ（第２のレンズの一例）のそれぞれは、開口１１に近づくにつれ中心部５１（重複領域の一例）へ向かう方向における配光ピーク角度が次第に小さくなる。
【００８９】
これにより、レンズのそれぞれは、より精度よく中心部５１に向けて出射することができる。例えば、レンズごとに中心部５１の中心に向けて光を出射するようにレンズの配光ピーク角度を設定することで、さらに均斉度を向上させることができる。つまり、光拡散カバー５０に現れる輝度ムラをさらに低減することができる。
【００９０】
また、複数のレンズ（例えば、レンズ３１ａ〜３３ａ）のそれぞれは、シボを有する。
【００９１】
これにより、レンズがシボを有していない場合に比べ、光拡散カバー５０に現れる輝度ムラを低減することができる。
【００９２】
（実施の形態１の変形例）
以下、本変形例に係る照明器具１ａについて、図８及び図９を参照しながら説明する。なお、実施の形態１との相違点を中心に説明し、実施の形態１と実質的に同一の構成に対しては同一の符号を付し、説明を省略又は簡略化する場合がある。
【００９３】
図８は、本変形例に係る照明器具１ａの光拡散カバー及びレンズカバーを省略した状態を示す平面図である。図８に示すように、本変形例では実施の形態１に比べ、基板２１に実装されている発光素子２２の数が異なる。言い換えると、隣り合う発光素子２２間のピッチが異なる。
【００９４】
照明器具１ａは、最内周に配置されている発光素子２２間のピッチＰ１が、最内周以外に配置されている発光素子２２間のピッチ（例えば、ピッチＰ２）より小さい点に特徴を有する。例えば、最内周以外に配置されている発光素子２２間のピッチ（例えば、Ｐ２）は、ピッチＰ１の２倍以上である。照明器具１ａの均斉度を効率的に向上させるには、中心部５１（開口１１）に近い発光素子２２から中心部５１に入射する光の割合を増やすとよい。そこで、本変形例では、中心部５１に入射する光の光量を増やす観点から、最内周に配置されている発光素子２２のピッチＰ１を最内周以外の発光素子２２のピッチ（例えば、ピッチＰ２）より小さくしている。なお、ピッチＰ１は、所定の間隔の一例である。
【００９５】
図８に示すように、照明器具１ａは、実施の形態１に係る照明器具１に対して、最内周以外の発光素子２２を均等に間引くことで実現されてもよい。例えば、最内周以外の発光素子２２を１つ置きに間引いてもよい。
【００９６】
図９は、本変形例に係る照明器具１ａの点灯時の明るさを示す図である。具体的には、図９の（ａ）は、実施の形態１に係る照明器具１において最内周を含む発光素子２２を等間隔に間引きを行った比較例における照明器具の明るさを示す図であり、図９の（ｂ）は、本変形例に係る照明器具１ａの明るさを示す図である。
【００９７】
図９の（ａ）及び図９の（ｂ）より、発光素子２２の間引き方により明るさの分布及び均斉度が異なることがわかる。具体的には、照明器具１ａは、比較例の照明器具に比べ、中心部５１付近の明るさが明るい。また、比較例の照明器具の均斉度は０．７０であるのに対し、照明器具１ａの均斉度は０．７８と大幅に向上している。これは、中心部５１付近(開口１１付近)の発光素子２２を間引かなかったため、比較例の照明器具に比べ中心部５１に向けて出射する光の光量が多いためである。
【００９８】
なお、最内周以外の発光素子２２の間引き方はこれに限定されない。例えば、最外周に向かうほど間引き率を高くしてもよい。または、周単位で間引いてもよい。例えば、周方向に６列配置されている場合、開口１１側から２、４、６周を間引くなどとしてもよい。
【００９９】
以上説明したように、本実施の形態に係る照明器具１ａが備える基板２１の形状は、開口１１を囲む円環状（環状の一例）であり、複数の発光素子２２は、開口１１を囲む複数の円環状に配置されており、複数の円環状のうちの最内周に配置された発光素子２２は、ピッチＰ１（所定の間隔の一例）で配置されており、複数の円環状のうちの最内周以外に配置された発光素子２２は、ピッチＰ１の２倍以上の間隔で配置される。
【０１００】
これにより、最内周以外に配置されている発光素子２２のピッチ（例えば、ピッチＰ２）を最内周に配置されている発光素子２２のピッチＰ１の２倍以上とすることで、最内周に配置されている発光素子２２から中心部５１に入射する光の光量の割合が高くなるので中心部５１に入射する光の光量の減少を抑制しつつ、かつ発光素子２２が実装されている直下の光拡散カバー５０に入射する光の光量を減少させることができるので、より均斉度を向上させることができる。
【０１０１】
（実施の形態２）
以下、本実施の形態に係る照明器具２について説明する。なお、実施の形態１との相違点を中心に説明し、実施の形態１と実質的に同一の構成に対しては、説明を省略又は簡略化する場合がある。
【０１０２】
［２−１．照明器具の構成］
本実施の形態に係る照明器具２の構成について、図１０〜図１５を参照しながら説明する。
【０１０３】
［２−１−１．照明器具の全体構成］
まず、本実施の形態に係る照明器具２の全体構成について、図１０〜図１２を参照しながら説明する。
【０１０４】
図１０は、本実施の形態に係る照明器具２の天井側の外観を示す斜視図である。図１１は、本実施の形態に係る照明器具２の床面側の外観を示す斜視図である。図１２は、本実施の形態に係る照明器具２を分解して示す分解斜視図である。
【０１０５】
照明器具２は、例えば住宅等の建物の天井に設置され、建物の内部の空間を照明するためのシーリングライトである。図１０〜図１２に示すように、照明器具２は、器具本体１１０、発光モジュール１２０、レンズカバー１３０、光反射部材１４０、光拡散カバー１５０、上方カバー１６０及び側方カバー１７０を備えている。なお、天井は、照明器具２が取り付けられる造営材の設置面の一例である。
【０１０６】
以下、照明器具２の各構成要素について、図１０〜図１２を参照しながら、図１３〜図１５を用いて詳細に説明する。
【０１０７】
［２―１−２．器具本体］
器具本体１１０について、図１２を参照しながら説明する。
【０１０８】
器具本体１１０は、発光モジュール１２０を固定する略板状の部材である。器具本体１１０の平面視における形状は略長尺状である。器具本体１１０は、例えばアルミニウム板又は鋼板等の板金をプレス加工することによって形成される。
【０１０９】
図１２に示すように、器具本体１１０は、開口１１１及びフランジ部１１３を有する。
【０１１０】
器具本体１１０は、中央部に略円形状の開口１１１を有する。開口１１１の周縁部には、器具本体１１０を器具取付部材（図示しない）に装着するためのホルダ１１２が固定される。ホルダ１１２の内部には、器具取付部材が着脱自在に嵌合される。
【０１１１】
また、器具本体１１０の長尺側の外周部には、上方カバー１６０（具体的には、上方カバー１６０のフランジ部１６２）と接続されるためのフランジ部１１３が形成されている。例えば、器具本体１１０のフランジ部１１３と上方カバー１６０のフランジ部１６２とをネジ（図示しない）などにより固定することで、器具本体１１０と上方カバー１６０とが接続固定される。
【０１１２】
なお、器具本体１１０は、発光モジュール１２０からの熱を放熱するためのヒートシンクとしても機能する。
【０１１３】
［２−１−３．発光モジュール］
次に、発光モジュール１２０について、図１２を参照しながら説明する。
【０１１４】
発光モジュール１２０は、例えば白色光を発するための光源である。発光モジュール１２０は、複数の基板１２１と、複数の基板１２１の各々に実装された複数の発光素子１２２とを有している。
【０１１５】
基板１２１は、複数の発光素子１２２を実装するためのプリント配線基板であり、略長尺状に形成されている。基板１２１の開口１１１側の端部には、開口１１１の形状に応じた形状の切り欠きが形成されている。複数の基板１２１の各々は、器具本体１１０の開口１１１を挟むようにして、器具本体１１０の床面側の面にネジ（図示しない）により取り付けられている。なお、本実施の形態では、発光モジュール１２０は２つの基板１２１から構成されている例について説明しているが、基板１２１の数はこれに限定されない。
【０１１６】
複数の発光素子１２２は、器具本体１１０の長尺方向（長手方向）に沿って配置されている。本実施の形態では、複数の発光素子１２２は、器具本体１１０の長尺方向に４行配置されている。各行において、複数の発光素子１２２は、器具本体１１０の長尺方向に間隔を置いて配置されている。これにより、発光モジュール１２０全体としては、複数の発光素子１２２は略長尺状に配置されるようになる。なお、隣り合う発光素子１２２間の距離（ピッチ）は、実施の形態１に係る照明器具１の隣り合う発光素子２２間のピッチより小さい。
【０１１７】
発光素子１２２の各々は、実施の形態１で説明した発光素子２２と同様の構成であり、説明を省略する。
【０１１８】
［２−１−４．レンズカバー］
次に、レンズカバー１３０について、図１２〜図１５を参照しながら説明する。図１３は、本実施の形態に係る照明器具２の光拡散カバー１５０を省略した状態を示す平面図である。
【０１１９】
図１２に示すように、レンズカバー１３０は、発光素子１２２の各々からの光の配光を制御するための光学部材である。レンズカバー１３０は、開口１１１を挟むように略長尺状に形成されている。レンズカバー１３０の開口１１１側の端部には、開口１１１の形状に応じた形状の切り欠きが形成されている。また、レンズカバー１３０は、透光性を有する材料（例えば、アクリル（ＰＭＭＡ）、ポリカーボネート（ＰＣ）などの透明な樹脂等）で形成されている。レンズカバー１３０は、複数の基板１２１の各々を覆うようにして、器具本体１１０の床面側の面にネジ（図示しない）により取り付けられる。また、レンズカバー１３０は、長尺方向側の端部に光反射部材１４０を固定するための取付部（図示しない）を有する。
【０１２０】
図１３に示すように、レンズカバー１３０は、レンズカバー１３０における開口１１１側の内側領域（レンズカバー１３０のうちの仮想線ＶＬ３により囲まれる領域）である第１のレンズカバー１３１と、第１のレンズカバー１３１より外側の外側領域（レンズカバー１３０のうちの仮想線ＶＬ４により囲まれる領域）である第２のレンズカバー１３２とを有する。つまり、第１のレンズカバー１３１は、複数の発光素子１２２のうちの開口１１１側に配置された発光素子１２２を覆う。また、第２のレンズカバー１３２は、複数の発光素子１２２のうちの開口１１１とは逆側に配置された発光素子１２２を覆う。
【０１２１】
さらに、第１のレンズカバー１３１には、複数のレンズ１３１ａが形成されており、第２のレンズカバー１３２には、複数のレンズ１３２ａが形成されている。複数のレンズ１３１ａ及び１３２ａは、複数の発光素子１２２の各々に対応するように設けられている。複数の発光素子１２２の各々から発せられた光は、複数の発光素子１２２の各々に対応するレンズ１３１ａ又は１３２ａを透過することで、配光制御される。なお、詳細は後述するが、本実施の形態に係るレンズカバー１３０は、レンズ１３１ａ及び１３２ａのそれぞれで配光特性が異なる点に特徴を有する。レンズ１３１ａは、レンズ１３２ａに比べ、より多くの光を中心部（図１４の中心部１５１を参照）へ向けて出射する。
【０１２２】
複数のレンズ１３１ａは、開口１１１を挟むように器具本体１１０の長尺方向に沿って配置されている。本実施の形態では、複数のレンズ１３１ａは、器具本体１１０の長尺方向に沿って４行配置されている。各行において、複数のレンズ１３１ａは、器具本体１１０の長尺方向に沿って所定の間隔を置いて配置されている。具体的には、複数のレンズ１３１ａは、複数の発光素子１２２と一対一で対応するように、複数の発光素子１２２に対応する第１のレンズカバー１３１内の位置に配置されている。
【０１２３】
複数のレンズ１３２ａは、第１のレンズカバー１３１を挟むように器具本体１１０の長尺方向に沿って配置されている。本実施の形態では、複数のレンズ１３２ａは、器具本体１１０の長尺方向に沿って４行配置されている。各行において、複数のレンズ１３２ａは、器具本体１１０の長尺方向に沿って所定の間隔を置いて配置されている。具体的には、複数のレンズ１３２ａは、複数の発光素子１２２と一対一で対応するように、複数の発光素子１２２に対応する第２のレンズカバー１３２内の位置に配置されている。
【０１２４】
複数のレンズ１３１ａ及び１３２ａは、例えば、開口１１１を挟むように長尺状に配置されている。なお、レンズカバー１３０に形成されるレンズ１３１ａ及び１３２ａの行数は、上記に限定されない。
【０１２５】
続いて、レンズカバー１３０の断面形状について、図１４を参照しながら説明する。
【０１２６】
図１４は、図１０のＸＩＶ−ＸＩＶ線における本実施の形態に係る照明器具２の断面図である。具体的には、図１４の（ａ）は、図１０のＸＩＶ−ＸＩＶ線における本実施の形態に係る照明器具２の断面図であり、図１４の（ｂ）は、図１４の（ａ）の破線領域の拡大断面図である。
【０１２７】
図１４の（ａ）に示すように、レンズカバー１３０は、断面視において、凹凸形状を有する。また、図１４の（ｂ）に示すように、レンズカバー１３０は、基板１２１の床面側の面に配置される。断面視において、第１のレンズカバー１３１には、Ｘ軸方向に２列で略直線状に並ぶレンズ１３１ａが形成されており、第２のレンズカバー１３２には、Ｘ軸方向に９列で略直線状に並ぶレンズ１３２ａが形成されている。また、断面視において発光素子１２２はＸ軸方向に１１列で略直線状に並んで配置されており、発光素子１２２の各々は、レンズ１３１ａ又は１３２ａで覆われている。つまり、レンズ１３１ａ及び１３２ａは、発光素子１２２の各々に一対一で形成されている個別レンズである。これにより、複数の発光素子１２２の各々からの光に対して、所望の配光制御を行うことができる。
【０１２８】
図１４の（ｂ）に示すように、レンズ１３１ａ及び１３２ａは、断面視において形状が異なる。より詳しくは、レンズカバー１３０の天井８０側の面には、発光素子１２２からの光の配光を制御するために、床面側に向けて凹みが形成されているが、その凹みの形状がレンズ１３１ａ及び１３２ａで異なる。
【０１２９】
レンズ１３１ａに形成されている凹みは、断面視において、光軸Ｊに対して非対称であるが、レンズ１３２ａに形成されている凹みは光軸Ｊに対して対称である。レンズ１３１ａに形成されている凹みは、光軸Ｊに対して開口１１１に近い方は浅く、遠い方は深く形成されている。
【０１３０】
また、レンズカバー１３０の床面側の面には、発光素子１２２からの光の配光を制御するために、床面側に向けて凸部が形成されているが、その凸部の形状がレンズ１３１ａ及び１３２ａで異なる。
【０１３１】
レンズ１３１ａに形成されている凸部は、断面視において、光軸Ｊに対して非対称であるが、レンズ１３２ａに形成されている凸部は光軸Ｊに対して対称である。レンズ１３１ａに形成されている凸部は、光軸Ｊに対して開口１１１に近い方は大きく突出しており、遠い方は小さく突出して形成されている。これらにより、発光素子１２２からレンズカバー１３０に入射した光の配光のされ方が異なる。
【０１３２】
なお、図１４の（ｂ）において、一点鎖線は発光素子１２２の光軸Ｊを示している。光軸Ｊは、Ｚ軸に平行な軸である。また、発光素子１２２の光軸Ｊと発光素子１２２を備える照明器具２の光軸とは、平行の関係にある。
【０１３３】
続いて、上記で説明したレンズ１３１ａ及び１３２ａの配光特性について、図１５を参照しながら説明する。
【０１３４】
図１５は、本実施の形態に係るレンズ１３１ａ及び１３２ａの配光特性を示す図である。より詳しくは、図１５の（ａ）は、レンズ１３１ａ単体での光強度分布の一例を示す図であり、図１４の（ａ）の破線領域に配置されているレンズ１３１ａにおける光強度分布を示している。図１５の（ｂ）は、レンズ１３２ａ単体での光強度分布の一例を示す図である。図１５において、０°は、照明器具２の直下方向（光軸方向）を示しており、二点鎖線Ｄは、光強度分布において光強度が最大となる方向を示している。
【０１３５】
図１５の（ａ）及び（ｂ）に示すように、レンズ１３１ａはそれぞれ、配光ピーク角度を１つ有し、レンズ１３２ａはそれぞれ、配光ピーク角度を２つ有するレンズである。レンズ１３１ａは、具体的には、光軸Ｊに対して中心部１５１に向かう方向のみに配光ピーク角度を有する。つまり、レンズ１３１ａは入射した光を集光して出射する特性を有するレンズである。例えば、レンズ１３１ａは、入射した光をスポット状の光として出射する。レンズ１３２ａは、具体的には、光軸Ｊに対して互いに異なる方向に配光ピーク角度を有する。つまり、レンズ１３２ａは配光ピーク角度を２つ有する。言い換えると、レンズ１３２ａは、いわゆるバットウィング状の配光特性を有するレンズである。なお、レンズ１３１ａは、第１のレンズの一例であり、レンズ１３２ａは第２のレンズの一例である。
【０１３６】
レンズカバー１３０は、発光素子１２２から出射された光を集光して出射する機能を有するレンズ１３１ａと、バットウィング状の配光特性を有し、発光素子１２２から出射された光の配光角を広げる機能を有するレンズ１３２ａとから構成される。
【０１３７】
本実施の形態に係るレンズ１３１ａは、発光素子１２２からの光を集光して中心部１５１に向けて出射するので、例えば実施の形態１のようにバットウィング状の配光特性を有するレンズ３１ａに比べ、中心部１５１へ向かう光の光量は多くなる。言い換えると、本実施の形態では、主にレンズ１３１ａから出射された光により中心部１５１に入射する光の光量を増やしている。これにより、例えば、隣り合う発光素子１２２間の距離（ピッチ）が短く配光ピーク角度を広げるとレンズから出射された光が隣り合うレンズに入射してしまうなど、バットウィング状の配光特性を有するレンズの配光ピーク角度を広げられない場合においても、中心部１５１に入射する光の光量を増やすことができる。
【０１３８】
なお、レンズ１３１ａ及び１３２ａはそれぞれ、中心部１５１へ向かう方向における配光ピーク角度が異なっていてもよい。図１５の（ａ）及び（ｂ）に示すように、レンズ１３１ａの配光ピーク角度は、一例として５７°であり、レンズ１３２ａの配光ピーク角度は、一例として６３°である。レンズ１３１ａ及び１３２ａの配光ピーク角度はこれに限定さないが、配光ピーク角度の大小関係は、維持されてもよい。具体的には、レンズ１３１ａの中心部１５１に向かう方向における配光ピーク角度は、レンズ１３２ａの中心部１５１に向かう方向における配光ピーク角度より小さい。つまり、レンズカバー１３０のうち開口１１１から近い領域に配置されているレンズの配光ピーク角度は、開口１１１から遠い領域に配置されているレンズの配光ピーク角度に比べ小さい。これにより、レンズカバー１３０から出射した光が、中心部１５１に入射しやすくなる。具体的には、レンズ１３１ａから出射された光が、中心部１５１に入射しやすくなる。なお、レンズ１３１ａ及び１３２ａの配光ピーク角度は、発光素子１２２から入射した光を中心部１５１に向けて出射できる角度であればよい。
【０１３９】
例えば、図１４の（ａ）に示すように、レンズ１３１ａから出射された光Ｌ１１は中心部１５１に向けてスポット状に集光して出射されるので、発光素子１２２のピッチが小さく配光ピーク角度を広げられない場合であっても、均斉度を改善することができる。また、図１４の（ａ）では、レンズ１３２ａから出射された光Ｌ１２は、レンズ１３１ａに比べ光量は少ないが、中心部１５１に向けて出射されている例を示している。
【０１４０】
なお、図１４の（ａ）では、中心部１５１に向かう光のみを図示しているが、レンズ１３１ａ及び１３２ａからは側方カバー１７０に向けての光も出射されている。側方カバー１７０に向けて出射される光の光量は、レンズ１３１ａに比べレンズ１３２ａの方が大きい。
【０１４１】
なお、図１３及び図１４では、内側領域に配置されるレンズ１３１ａのそれぞれは等しい配光ピーク角度を有し、外側領域に配置されるレンズ１３２ａのそれぞれは等しい配光ピーク角度を有している例について説明したが、これに限定されない。例えば、開口１１１に向かうにつれ配光ピーク角度が小さくなるようにレンズ１３１ａ及び１３２ａが配置されていてもよい。つまり、列ごとに配光ピーク角度が異なっていてもよい。これにより、列ごとに適切な配光ピーク角度を設定することができるので、中心部１５１の中心（例えば、照明器具２を平面視した場合の照明器具２の中心）に向けて光を出射することができる。
【０１４２】
［２−１−５．光反射部材］
次に、光反射部材１４０について、図１２を参照しながら説明する。
【０１４３】
光反射部材１４０は、レンズ１３１ａ及び１３２ａを囲む枠状の部材であり、発光素子１２２から出射された光に対して反射性を有する光学部材である。つまり、光反射部材１４０は、発光素子１２２から出射され光反射部材１４０に入射した光を光拡散カバー１５０側に反射する。
【０１４４】
光反射部材１４０は、光反射部材１４０は、アルミニウムなどの金属材料を用いて形成されてもよく、ＰＢＴ（ポリブチレンテレフタレート）など硬質の白色樹脂材料を用いて形成されてもよい。あるいは、光反射部材１４０は、硬質の樹脂材料を用いて形成され、光反射部材１４０の内周面に、銀又はアルミニウムなどの金属材料からなる金属蒸着膜（金属反射膜）が形成されてもよい。
【０１４５】
光反射部材１４０は、器具本体１１０側の端部に凸部を有しており、当該凸部がレンズカバー１３０の取付部と嵌合することで、光反射部材１４０はレンズカバー１３０に固定される。
【０１４６】
［２−１−６．光拡散カバー］
次に、光拡散カバー１５０について、図１１、図１２及び図１４の（ａ）を参照しながら説明する。
【０１４７】
図１１及び図１２に示すように、光拡散カバー１５０は、レンズカバー１３０を覆い、レンズカバー１３０から入射した光を床面側に向けて拡散して出射する光学部材である。本実施の形態では、光拡散カバー１５０の平面視形状は、略矩形状である。
【０１４８】
光拡散カバー１５０は、透光性を有する材料（例えば、透光性を有するアクリル樹脂）で形成されている。例えば、光拡散カバー１５０は、光拡散材が内部に分散された乳白色の拡散パネルを用いることができる。これにより、発光モジュール１２０から出射されレンズカバー１３０を介して光拡散カバー１５０に入射した光は、光拡散カバー１５０を透過することで散乱される。また、光拡散カバー１５０は、例えば、側方カバー１７０の床面側の端部に固定される。
【０１４９】
なお、光拡散カバー１５０の表面にシボ加工などにより、微細な凹凸（シボ）が形成されていてもよい。
【０１５０】
図１４の（ａ）に示すように、光拡散カバー１５０は、光拡散カバー１５０を天井８０に対して垂直な方向から見たときに開口１１１と重なる領域である中心部１５１を有する。つまり、中心部１５１の直上には発光素子１２２が配置されていない。そのため、従来であれば、発光素子から中心部へ入射する光の光量が少なく、床面側から光拡散カバーを見ると、中心部が暗く見えていた（明るさが不均一であった）。一方、本実施の形態では、上記で説明したように、レンズカバー１３０が有する複数のレンズのうち開口１１１に近いレンズに発光素子１２２からの光を集光して中心部１５１に出射するレンズ（例えば、レンズ１３１ａ）を用いている。これにより、開口１１１に近いレンズ１３１ａから中心部１５１に入射する光の光量を従来よりも増やすことができるので、床面側から光拡散カバー１５０を見たときの明るさの不均一を低減することができる。なお、中心部１５１は重複領域の一例である。また、光拡散カバー１５０を天井８０に対して垂直な方向から見たときに、中心部１５１の形状は略円形状である。
【０１５１】
［２−１−７．上方カバー］
次に、上方カバー１６０について、図１０及び図１２を参照しながら説明する。
【０１５２】
図１０及び図１２に示すように、上方カバー１６０は、側方カバー１７０の天井側の開口１７３を覆うカバーである。本実施の形態では、上方カバー１６０の平面視形状は、略矩形状である。上方カバー１６０は、例えばアルミニウム板又は鋼板等の板金をプレス加工することによって成形される。
【０１５３】
図１２に示すように、上方カバー１６０は、カバー部１６１と、フランジ部１６２とを有する。
【０１５４】
カバー部１６１は、側方カバー１７０の天井側の開口１７３を覆う略平板状の部材である。カバー部１６１の中央には器具取付部材（図示しない）に対応した大きさの開口１６３が形成されている。
【０１５５】
フランジ部１６２は、カバー部１６１の外周に設けられ、上方カバー１６０を器具本体１１０に固定するための部材である。フランジ部１６２は、カバー部１６１を囲み、カバー部１６１の外縁から床面側に立設して設けられる。また、上方カバー１６０と器具本体１１０とが固定され、上方カバー１６０と器具本体１１０とで形成される空間にホルダ１１２が収容される。
【０１５６】
［２−１−８．側方カバー］
次に、側方カバー１７０について、図１０〜図１２を参照しながら説明する。
【０１５７】
図１０〜図１２に示すように、側方カバー１７０は、器具本体１１０、発光モジュール１２０、レンズカバー１３０、光反射部材１４０及び上方カバー１６０を囲む枠状のカバーである。また、側方カバー１７０は、例えば金属材料又は樹脂材料によって成形される。
【０１５８】
図１２に示すように、側方カバー１７０は、カバー部１７１とフランジ部１７２とを有する。
【０１５９】
カバー部１７１は、器具本体１１０、発光モジュール１２０、レンズカバー１３０、光反射部材１４０及び上方カバー１６０を囲む枠状の部材である。カバー部１７１は、天井８０側の開口１７３及び床面側の開口１７４を有する。開口１７３は、上方カバー１６０（具体的には、上方カバー１６０の天井側の面）により覆われる。また、開口１７４は、光拡散カバー１５０により覆われる。
【０１６０】
フランジ部１７２は、カバー部１７１の天井側の内面から照明器具２の中心に向けて突出した突出部である。フランジ部１７２とカバー部１６１とがネジ（図１０のネジ１７５を参照）により取り付けられることで、上方カバー１６０が側方カバー１７０に取り付けられる。
【０１６１】
［２−２．均斉度］
続いて、本実施の形態に係るレンズカバー１３０を備える照明器具２の均斉度について、図１６Ａ及び図１６Ｂを参照しながら説明する。
【０１６２】
図１６Ａは、本実施の形態に係る照明器具２の点灯時の明るさを示す図である。図１６Ｂは、図１６ＡのＸＶＩｂ−ＸＶＩｂ線における本実施の形態に係る照明器具２の照度分布を示す図である。図１６Ａ及び図１６Ｂでは、レンズカバーが全て配光特性の等しいレンズ（具体的には、レンズ１３２ａ）で構成されている場合を比較例として図示している。また、図１６Ａ及び図１６Ｂでは、光拡散カバー１５０の表面にシボが形成されている場合の結果を示している。また、図１６Ｂの長手方向位置０ｍｍは、照明器具２の中心（中心部１５１の中心）を意味している。
【０１６３】
図１６Ａの（ａ）は比較例に係る照明器具の明るさを示す図であり、図１６Ａの（ｂ）は本実施の形態に係る照明器具２の明るさを示す図である。
【０１６４】
図１６Ａの（ａ）及び図１６Ａの（ｂ）に示すように、照明器具２は比較例の照明器具に比べ中心部付近の明るさが明るくなっていることがわかる。また、比較例の照明器具の均斉度は０．３５であるのに対し、照明器具２の均斉度は０．６３と大幅に向上している。
【０１６５】
図１６Ｂに示すように、中心部１５１付近の照度は、比較例の照明器具より照明器具２の方が高く、かつ発光素子１２２直下付近の照度は、比較例の照明器具より照明器具２の方が低くなっている。つまり、照明器具２の均斉度は、発光面１５２の最大照度が低下し、かつ照明器具１の中心の照度が上昇したことにより向上している。
【０１６６】
［２−３．効果］
以上説明したように、本実施の形態に係る照明器具２が備える複数のレンズ１３１ａ（第１のレンズの一例）のそれぞれは、配光特性として、中心部１５１（重複領域の一例）に向かう方向のみに配光ピーク角度を有し、複数のレンズ１３２ａ（第２のレンズの一例）のそれぞれは、配光特性として、光軸Ｊに対して異なる方向にそれぞれ配光ピーク角度を有する。
【０１６７】
これにより、発光素子１２２が狭ピッチで基板１２１に実装されており、レンズの配光ピーク角度を広げることに制限がある場合であっても、光拡散カバー１５０に現れる輝度ムラを従来よりも低減できる。具体的には、開口１１１に近い領域に配置されているレンズを第１のレンズ（例えば、レンズ１３１ａ）により中心部１５１に向けて集光した光を出射できるので、中心部１５１に入射する光の光量を増やすことができる。よって、本実施の形態に係る照明器具２であれば、光拡散カバー１５０に現れる輝度ムラを低減することができる。
【０１６８】
（その他の実施の形態）
以上、本発明について実施の形態に基づいて説明したが、本発明は、上記実施の形態に限定されるものではない。
【０１６９】
例えば、上記実施の形態及び変形例では、照明器具が取り付けられる造営材の設置面が天井である場合について説明したが、設置面はこれに限定されない。例えば、造営材の設置面は、建物の壁等であってもよい。これにより、造営材の設置面が天井である場合と同様の効果を奏する。
【０１７０】
また、上記実施の形態及び変形例では、光拡散カバーは平板状の部材である例について説明したが、光拡散カバーの形状は特に限定されない。例えば、光拡散カバーはドーム状であってもよいし、その他の形状であってもよい。これにより、光拡散カバーが平板状である場合と同様の効果を奏する。
【０１７１】
また、上記実施の形態及び変形例では、側方カバーと光拡散カバーとが別体である例について説明したが、これに限定されない。例えば、側方カバーと光拡散カバーとは一体化されていてもよい。例えば、側方カバーと光拡散カバーとが一体形成されており、かつ光拡散性を有していてもよい。
【０１７２】
また、上記実施の形態及び変形例では、照明器具はアダプタを備えていない例について説明したがこれに限定されない。照明器具は、アダプタを備えていても（言い換えると、アダプタが取り付けられていても）よい。
【０１７３】
また、上記実施の形態１及び変形例では、複数の基板をリング状に並べることにより発光モジュールを構成したが、これに限定されない。例えば、１つのリング状の基板で発光モジュールを構成してもよい。
【０１７４】
また、上記実施の形態及び変形例では、各レンズカバー（例えば、第１のレンズカバー、第２のレンズカバー及び第３のレンズカバー）は一体で形成されている例について説明したが、これに限定されない。例えば、各レンズカバーはそれぞれ、別体で形成されていてもよい。
【０１７５】
また、上記実施の形態及び変形例では、発光素子をＳＭＤ構造としたが、これに限定されない。例えば、ＬＥＤチップを基板に直接実装したＣＯＢ（Ｃｈｉｐ  Ｏｎ  Ｂｏａｒｄ）構造であってもよい。この場合、封止部材によって、基板上に実装された複数のＬＥＤチップを一括に封止してもよく、あるいは、個別に封止してもよい。また、封止部材には、上述した黄色蛍光体等の波長変換材が含有されていてもよい。
【０１７６】
また、上記実施の形態及び変形例では、照明器具をシーリングライトとしたが、これに限定されない。
【０１７７】
また、上記実施の形態１の変形例では、発光素子を間引く例について説明したが、これに限定されない。例えば、照明器具は、実施の形態１と同様の発光モジュールを備え、間引き点灯させることで均斉度を向上させてもよい。
【０１７８】
その他、上記実施の形態及び変形例に対して当業者が思いつく各種変形を施して得られる形態や、本発明の主旨を逸脱しない範囲で各実施の形態における構成要素および機能を任意に組み合わせることで実現される形態も本発明に含まれる。
【符号の説明】
【０１７９】
１、１ａ、２    照明器具
１０、１１０    器具本体
１１、１１１    開口
２０、１２０    発光モジュール
２１、１２１    基板
２２、１２２    発光素子
３０、１３０    レンズカバー
３１ａ、３２ａ、３３ａ、１３１ａ、１３２ａ    レンズ
５０、１５０    光拡散カバー
５１、１５１    中心部（重複領域）
８０    天井（設置面）
９１    引っ掛けシーリングボディ
【図１】
2018181602.tif 000003
【図２】
2018181602.tif 000004
【図３】
2018181602.tif 000005
【図４】
2018181602.tif 000006
【図５】
2018181602.tif 000007
【図６】
2018181602.tif 000008
【図７Ａ】
2018181602.tif 000009
【図７Ｂ】
2018181602.tif 000010
【図８】
2018181602.tif 000011
【図９】
2018181602.tif 000012
【図１０】
2018181602.tif 000013
【図１１】
2018181602.tif 000014
【図１２】
2018181602.tif 000015
【図１３】
2018181602.tif 000016
【図１４】
2018181602.tif 000017
【図１５】
2018181602.tif 000018
【図１６Ａ】
2018181602.tif 000019
【図１６Ｂ】
2018181602.tif 000020